(57)【要約】【課題】  被写体である利用者の体位を支持する手段を備えることによって、撮影時に様々なポーズの形成を補助することができるようにした写真自動撮影装置を提供することを目的とする。【解決手段】  体位形成補助部２０は、撮影筐体４のある撮影空間２の床面に対して略水平な天井（上）方向に向かう面２１ａと、撮影筐体４のある撮影空間２の床面に対して略垂直な撮影空間２方向に向かう面２１ｂとを備えている。面２１ａと面２１ｂとの境界は丸み形状面２１ｃになっている。利用者は、体位形成補助部２０の面２１ａに膝をついてポーズをとったり、腰掛けてポーズをとったりするなど、多様なポーズで撮影することができる。  【選択図】        図５
2006195148.tif 000002
【特許請求の範囲】
【請求項１】
被写体である人物を撮影する撮影手段と、
前記撮影手段が備わる筐体と、
前記筐体の近傍に、被写体である人物の膝をつくことが可能な面と、膝をつくことが可能な程度の高さとを有する体位形成補助手段を備えることを特徴とする写真自動撮影装置。
【請求項２】
前記体位形成補助手段の表面に角部が形成される場合に、前記角部が丸み形状になっていることを特徴とする請求項１に記載の写真自動撮影装置。
【請求項３】
前記体位形成補助手段の一部が分離可能になっていることを特徴とする請求項１または請求項２に記載の写真自動撮影装置。
【発明の詳細な説明】
【技術分野】
【０００１】
この発明は、被写体である利用者の体位の形成を補助し、撮影時に様々なポーズをとれるようにした写真自動撮影装置に関する。
【背景技術】
【０００２】
近年、ゲームセンター等の遊戯を提供する店舗において、写真を撮影してシールプリント等にする写真自動販売装置が数多く設置されている。このような写真自動販売装置には、一般に、被写体である利用者を写真自動販売装置に付属のカメラで撮影した画像を、タブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
また、このような写真自動販売装置は、より個性的な出来上がりの写真を得たいという利用者の要望があり、様々なポーズをとることができるように工夫されている。
【０００４】
特許文献１には、画像プリント供給装置において用いられ、撮影手段と対向して、引出型の段差ステージや、帯状又は棒状の人体支持具や、ブランコ又は吊り輪など吊下状の人体支持具などの画像プリント供給装置における撮影支援設備が開示されている。
【０００５】
特許文献２には、撮影した被写体の画像を、所定の印刷媒体に印刷する画像印刷装置と対向する位置に配置される撮影台において、前記画像印刷装置とほぼ同一の幅の、１段、または複数段の階段を備え、前記階段のうちの最上段には所定の角度の斜面が配置されていることを特徴とする撮影台が開示されている。
【０００６】
特許文献３には、被写体の撮影用の体位の形成を補助する補助装置を備える写真自動販売装置が開示されている。上記補助装置として、ジャングルジム等の足場、突出した複数の杭からなる足場などの記載がある。
【特許文献１】特開２００２−３５４２９８号公報
【特許文献２】特開２００２−３３０３１６号公報
【特許文献３】特開２００３−１８６１０５号公報
【０００７】
また、このような写真自動販売機は友人同士など複数人で利用されることが多い。
【発明の開示】
【発明が解決しようとする課題】
【０００８】
しかしながら、上記文献に開示されているような画像プリント提供装置などによって、様々なポーズが撮影でき個性的な写真を提供できるものの、撮影空間の後方を占有し、撮影時にむしろ邪魔になってしまうことがあるという問題があった。
【０００９】
また、このような写真自動販売装置は、上記のように複数人で利用されることが多く、複数人で撮影する場合に全員が撮影範囲内に納まろうとするため、カメラなどの撮影手段の近傍にいる利用者は、遠方いる利用者のためにしゃがんだりして窮屈な姿勢をとらざるを得ないという問題があった。
【００１０】
またさらに、床などに膝をつくことによって楽な姿勢でしゃがもうと思っても、床の汚れが気になってしまいしゃがむことができないという問題があった。
【００１１】
本発明はこれらの問題に鑑みてなされたものであって、被写体である利用者の体位を支持する手段を備えることによって、撮影時に様々なポーズの形成を補助することができるようにした写真自動撮影装置を提供することを目的とする。
【課題を解決するための手段】
【００１２】
上記目的を達成するために本発明の写真自動撮影装置は、被写体である人物を撮影する撮影手段と、撮影手段が備わる筐体と、前記筐体の近傍に、被写体である人物の膝をつくことが可能な程度の高さの体位形成補助手段を備えることを特徴とする。
【００１３】
上記写真自動撮影装置によれば、利用者は、体位形成補助手段を利用して、膝をついたり、腰掛けたりしたポーズで撮影を行なうことができる。このような撮影を行なえるため、面白みのあるポーズの仕上り画像を利用者に提供することができる。
【００１４】
また、体位形成補助手段は、膝をつくことが可能な程度の高さであるため、特に利用者が複数人で撮影方向の前後に分かれなくては、利用者全員が撮影範囲に納まらない場合などに、前方（カメラに近接している箇所）の利用者が窮屈な姿勢をとらなくても、楽な姿勢で撮影することができる。すなわち、利用者が多い場合でも、無理なく前後方向に分散して利用者全員が撮影範囲内に納まるようにすることができる
【００１５】
さらに、体位形成補助手段の表面に角部が形成される場合に前記角部が丸み形状になっていることが好ましい。
【００１６】
上記写真自動撮影装置によれば、利用者が膝をついたときに表面の面と面とが形成する境界の角部によって足が痛くなることがないなど、利用者の足への負担を軽減することができる。
【００１７】
さらに、体位形成補助手段の一部が分離可能になっていることが好ましい。
【００１８】
体位形成補助手段の一部を分離可能にすることで、体位形成補助手段によって形成することのできるポーズはより自由度が高まるため、利用者はバラエティ豊かで個性的な写真を撮影することができる。
【発明を実施するための最良の形態】
【００１９】
［写真自動販売装置の外観］
【００２０】
図１は、本発明の実施の形態における写真撮影装置を適用した写真自動販売装置１の外観の具体例を示す断面図である。
【００２１】
写真自動販売装置１は、主に撮影操作を行なう撮影空間２と、主に編集操作を行なう編集空間３とに分かれる。
【００２２】
撮影空間２には、撮影筐体４、背面パネル５が対向して配備されており、これらとともにフレーム枠やパネルやサイドカーテン９などで外部と区分されている。撮影空間２は、撮影筐体４の下方に隣接して体位形成補助部２０を備えるがこれは後に詳細を説明する。
【００２３】
編集空間３には、編集筐体８が配備されており、これらとともにフレーム枠やサイドカーテン９などで外部と区分されている。
【００２４】
背面パネル５の上部付近には、背景カーテンユニット６が備えられる。背景カーテンユニット６には電動によってモータなどにより駆動される様々な色や柄の背景カーテン７が含まれ、それらを用いて撮影時の被写体の背景を形成する。背景カーテン７は、利用者の手動操作によりセットされてもよい。背面パネル５には背面体位補助部２８を備えるが、これは後に詳細を説明する。
【００２５】
図２は、本発明の実施の形態における写真撮影装置を適用した写真自動販売装置１の外観の具体例を示す側面図である。写真自動販売装置１には外部と区分する目的や、撮影中に外部に光が漏れることを防止する目的や、プレイ中の利用者のプライバシーの配慮などの目的により、図示のようにサイドカーテン９が配備される。
【００２６】
さらに、図を参照して写真自動販売装置１の側面には、コイン受付部３０とプリント提供部５０とを備える。
【００２７】
コイン受付部３０は、写真自動販売装置１を利用するための対価である硬貨を投入するためのコイン投入口３１と、不良硬貨などを排出するコイン排出口３２と、コイン受付時の案内を表示する案内表示ディスプレイ３３と、投入されたコインが蓄積されるコインボックス３４とで構成される。
【００２８】
プリント提供部５０は、撮影され、お絵描き入力（画像編集）等が施された画像が、所定の数だけ、所定の大きさでシール紙に印刷されたシール紙を排出するプリント取出口５１と、点灯あるいは点滅することで、印刷中であることを通知する印刷中ＬＥＤ５２と、印刷中、あるいは印刷中に用紙切れ、インク切れ、用紙詰り、メカニカルエラーなどのエラーが発生していることを通知する印刷エラーＬＥＤ５３とが備えられる。
【００２９】
かかる写真自動販売装置１を用いる際に、まず利用者はコイン受付部３０において硬貨を投入する。硬貨を受付けた後に、写真自動販売装置１が利用可能な状態であれば、案内表示ディスプレイ３３にプレイをする旨の案内がある。利用者は前記の案内を確認後、開放されている後方側面から撮影空間２に入り、撮影筐体４に相対する向きで撮影操作を行なう。そして撮影の後、編集空間３に移動し、撮影した画像に、いわゆるお絵描きと呼ばれるスタンプ画像やテキストなどをペン入力する編集操作を行なう。そして撮影画像と入力されたスタンプ画像などを合成した合成画像をレイアウトした印刷データをシール紙に印刷し、プリント提供部５０で利用者に提供する。
【００３０】
ここで、撮影筐体４を中心に撮影空間２の説明と、編集筐体８を中心に編集空間３との説明とを行なう。
【００３１】
まず、撮影空間２の説明を行なう。
【００３２】
図３は撮影筐体４を正面から見た斜視図である。撮影筐体４の内部には、プリンタ５５や、コンピュータ装置１０１や、制御基板１０２などの各種機器類を収める。これらの詳細は、後に図１６を用いて説明される。
【００３３】
撮影筐体４の正面には、カメラ１０と撮影操作モニタ１１と前面照明装置１３とが備えられる。
【００３４】
さらに、撮影筐体４には、撮影筐体４の内部の熱を逃がすためのファンや、外部装置への画像の配信や、リモートメンテナンスなどの外部装置との通信を行なうときにケーブルを差込むためＬＡＮ（Local Area Network）ケーブル差込口などが備えられていることが好ましい。
【００３５】
カメラ１０は、被写体である利用者を撮影するためのＣＣＤ（Charge Coupled Device），ＣＭＯＳ（Complementary Mental Oxide Semiconductor）などの撮像素子からなる。カメラ１０は、一般的にデジタルカメラが用いられる。一般的なデジタルカメラで設定できる項目（たとえばシャッタースピード、絞り値、露出補正、ホワイトバランスなど）の変更や撮影タイミングは、後に図１６を用いて説明する撮影用コンピュータ装置１０１ａから指示される。
【００３６】
カメラ１０は複数備えられたり、移動や角度調節をできるようにしたりしてもよい。
【００３７】
撮影操作モニタ１１は、カメラ１０から撮像される映像をリアルタイムで表示して利用者に撮像される映像や撮影指示や選択肢などを適宜画面に表示することによって、撮影時の映像の視覚確認や各種誘導案内などを行なう。
【００３８】
撮影操作モニタ１１の上には透明なタッチパネル１２が積層されている。撮影操作モニタ１１は、積層するタッチパネル１２上に利用者の指などでタッチされることによって行なわれる入力を検出する。このようにして利用者は、撮影操作モニタ１１に表示される選択肢に対して選択処理を行なう。
【００３９】
また、撮影筐体４の正面には、カメラ１０の周囲を取り囲むように配備され、撮影空間２に光を出射する前面照明装置１３ａ、１３ｂが備えられている。前面照明装置１３ｂの側方であって、撮影空間２の側面にあたる部分にはサイド照明装置１３ｃ、１３ｄが備えられている。また撮影空間の天井部分には天井照明装置１３ｅが備えられている。便宜上これらをまとめて照明装置１３という。
【００４０】
照明装置１３は、内部に蛍光灯１４（図１６参照）などの常灯照明とストロボ１５（図１６参照）などの閃光照明（フラッシュ）を有している。ストロボ１５は、利用者から撮影の開始が指示され、カメラ１０が取り込む画像を静止画像として記憶するとき、そのタイミングに合わせて発光し、被写体を照明する。
【００４１】
また、撮影空間２には利用者に対し音楽や操作方法の説明などを音声で出力する撮影用スピーカ１６（図１６参照）が備えられる。
【００４２】
ここで、撮影空間２において、カメラ１０が備えられる撮影筐体４の正面下方の床上に隣接して備えられる体位形成補助部２０の説明を行なう。利用者は、このような体位形成補助部２０に膝をついたり、腰掛けたりして撮影することができる。
【００４３】
図４は体位形成補助部２０の側面図であり、図５は体位形成補助部２０を正面から見た斜視図である。体位形成補助部２０は、カメラ１０の撮影範囲と、利用者の膝のつきやすさや腰掛やすさとを考慮したサイズ（高さや奥行き）で形成される。より具体的には、床面から高さ約２５ｃｍ〜３０ｃｍ、奥行きが約２５ｃｍ〜４０ｃｍ程度とすることが好ましい。
【００４４】
体位形成補助部２０は、撮影筐体４のある撮影空間２の床面に対して略水平な天井（上）方向に向かう面２１ａと、撮影筐体４のある撮影空間２の床面に対して略垂直な撮影空間２方向に向かう面２１ｂとを備えている。面２１ａと面２１ｂとの境界は丸み形状面２１ｃになっている。このようにすることで、利用者が膝をついたときに面２１ａと面２１ｂとの境界にできる角部によって足が痛くなることがないなど、足への負担が軽減される。このように、体位形成補助部２０の表面に形成される角部は、丸み形状にしておくことが好ましい。
【００４５】
図６（Ａ）〜図６（Ｂ）は体位形成補助部２０を利用して行なうことができるポーズの具体例である。
【００４６】
利用者は、図６（Ａ）が図示するように、体位形成補助部２０の面２１ａに膝をついてポーズをとることができる。体位形成補助部２０に膝をついて撮影することによって、利用者は膝をついた姿勢で撮影を行なうことができ、面白みのあるポーズで撮影することができる。
【００４７】
また、図示はしていないが、上述のように膝を置いたり腰掛けたりすることができる体位形成補助部２０をカメラ１０の近傍に設置することで、特に利用者が複数人で撮影方向の前後に分かれなくては利用者全員が撮影範囲に納まらない場合などに、前方（カメラに近接している箇所）の利用者が無理な姿勢をとらなくても、楽な姿勢で撮影することができる。すなわち、利用者が多い場合に、前方に位置する利用者は楽な姿勢でいたとしても、前方に位置する利用者の頭などで後方に位置する利用者が写らないということを防ぐことができる。このように、無理なく前後方向に分散して利用者全員が撮影範囲内に納まるようにすることができる。
【００４８】
また、利用者は、図６（Ｂ）が図示するように、体位形成補助部２０の面２１ａに腰掛けることもできる。体位形成補助部２０に腰掛けて撮影することによって、利用者は自身の肩越しからカメラ１０を覗き込むような姿勢で撮影を行なうことができ、面白みのあるポーズで撮影することができる。
【００４９】
また、利用者は、体位形成補助部２０の面２１ａ上に立つこともできる。
【００５０】
なお、体位形成補助部２０の面２１ａなどの表面は、柔らかくて頑丈なビニールレザーやファー、皮革など、肌触りがよく、破れる、汚れるなどの破損が発生し難い素材を利用することが好ましい。また、体位形成補助部２０の表面は、写真自動販売装置１の利用が繰り返されることによって汚れやすいので、取り外しを可能にし、容易に交換できるようにしておくことがより好ましい。
【００５１】
また、体位形成補助部２０の内部の土台は木や板金などで作成し、体位形成補助部２０の表面と土台との間には、ウレタンやクッションや綿などの柔らかく弾力性のある素材を備え、膝をついたときに膝に負担にならないようにすることが好ましい。また、体位形成補助部２０全体がクッションなどの素材であってもよい。
【００５２】
また、本実施の形態において、体位形成補助部２０は１段で構成されているが、図７が図示するように２段や複数段で構成されていてもよい。上述のように、利用者が膝をついて撮影できるようであればよい。このように複数段で構成されていれば、利用者の足の長さにあわせやすく、より多様なポーズがとりやすくなる。また、複数段備える場合には、撮影筐体４に対する角度、または高さや幅などが各々の段毎に異なっていてもよい。
【００５３】
また、上記実施例においては、体位形成補助部２０は撮影筐体４の下方の床面に接地しているが、体位形成補助部２０は、膝をついたり腰掛けたりすることができればよいため体位形成補助部２０が床面に接地していなくてもよい。
【００５４】
より具体的には、体位形成補助部２０を、図８が図示するように、コの字形に形成されたアーム部２２とアーム部２２の中央に装着されるウレタン等のパット材を皮革などで覆った膝置き部２３とを備える構成としてもよい。このような構成にすることで、体位形成補助部２０が床面に接地していなくても、安定して利用者は、膝をついたり腰掛けたりすることができる。
【００５５】
また、上述の構成において、アーム部２２は、アーム部２２の支軸を取り付ける高さによる位置ａや、アーム部２２の支軸の回転移動によって得られる位置ｂなど、位置調整をすることができる。このような構成により、利用者は体位形成補助部２０を自分の身長や足の長さなどの体格にあわせたり、好みの位置にあわせたりすることができる。また、上述のように位置を移動できる構成にすることによって、体位形成補助部２０を撮影に利用しない場合に、体位形成補助部２０をより目立たない位置に移動させることができ、体位形成補助部２０が撮影の邪魔にならない。
【００５６】
また、図９（Ａ）〜図９（Ｂ）が図示するように体位形成補助部２０の一部分が分離可能な構成とされていてもよい。体位形成補助部２０を固定部２４と分離部２５とで構成することによって、図９（Ａ）のように、固定部２４と分離部２５とを嵌合させて、体位形成補助部２０を通常の膝置きや腰掛けなどの使用方法で使用することもできるし、図９（Ｂ）のように、体位形成補助部２０の分離部２５を別の場所に移動させて利用者の好きな体位で撮影することもできる。このように、バラエティ豊かで個性的な写真を撮影することができる。
【００５７】
さらに、分離部２５の盗難を防止するために、撮影筐体４及び/または固定部２４と分離部２５とを、チェーンなどで結びつけておくことが好ましい。
【００５８】
また、上述の図９のような形態で分離可能にすることに限定するものではなく、図１０（Ａ）と図１０（Ｂ）が図示するような分離形状でもよいし、図１１（Ａ）と図１１（Ｂ）が図示するように複数分離してもよい。すなわち、分離する箇所や形状、分離する部分の数は限定するものではない。
【００５９】
上述のように体位形成補助部２０を分離可能な形態にすることによって、利用者はバラエティ豊かで個性的な写真を撮影することができるとともに、分離部２５は固定部２４と嵌合することによって、コンパクトに収納することができる。このようにすることによって、撮影空間２を体位形成補助部２０が占有することがないため、体位形成補助部２０を利用しない場合であっても、体位形成補助部２０が撮影の邪魔にならない。
【００６０】
また、膝をついたり、腰掛けたりした後に利用者が再び立ちやすいように、体位形成補助部２０の近傍に図１２（Ａ）や図１２（Ｂ）のように、補助支持部２６を備えてもよい。補助支持部２６は撮影筐体４あるいは、その近傍に固定された金属棒などである。利用者は体位形成補助部１６を利用した後に立ち上がる際に、該補助支持部２６に手をかけて立ち上がることができるため、楽に立ち上がることができる。このように補助支持部２６を備えることによって、利用者は楽に立ち上がることができる。また、このような補助支持部６のみを利用してポーズをとることもできるため、より多様性のある画像を提供できる。
【００６１】
上述のように膝を置いたり腰掛けたりすることができる体位形成補助部２０をカメラ１０の近傍に設置することで、特に利用者が複数人で撮影方向の前後に分かれなくては、利用者全員が撮影範囲に納まらない場合などに、前方（カメラに近接している箇所）の利用者が窮屈な姿勢をとらなくても、楽な姿勢で撮影することができる。すなわち、利用者が多い場合でも、無理なく前後方向に分散して利用者全員が撮影範囲内に納まるようにすることができる。
【００６２】
また、上述ような体位形成補助部２０は、撮影空間２の撮影筐体４近傍のごくわずかなスペースに配備されるため撮影空間２を占有することがなく、体位形成補助部２０を利用しない場合であっても、体位形成補助部２０が撮影の邪魔にならない。
【００６３】
以上が体位形成補助部２０の説明である。
【００６４】
次に、撮影空間２の背面パネル５に備えられる背面体位形成補助部２８の説明を行なう。図１３は撮影空間２の背面パネル５の具体例を示す図である。
【００６５】
撮影空間２の背面パネル５には、突出した円柱状の背面体位形成補助部２８が複数備えられている。このような背面体位形成補助部２８を用いることによって、図１４が図示するように利用者は背面体位形成補助部２８を利用して様々な体位で身体を支持する。このように、背面体位形成補助部２８を利用して、撮影時のポーズの補助をすることができる。
【００６６】
図では、背面体位形成補助部２８は等間隔となっているが、不規則な間隔で配置されてもよい。また、背面体位形成補助部２８同士の間隔は、少し窮屈に利用者の身体幅より狭いぐらいが好ましい。背面体位形成補助部２８同士の間隔が狭いと背面体位形成補助部２８の間に、身体を支持しようとするためには、無理な姿勢をとることになるため、面白みのあるポーズで撮影できる。このような背面体位形成補助部２８を利用して撮影が可能な構成にすることによって、面白みのある画像を利用者に提供することができる。
【００６７】
また、背面体位形成補助部２８もクッション素材などの柔らかく弾力性のある素材を使用することが好ましい。このような素材を使用することによって、利用者に背面体位形成補助部２８を触ったり、背面体位形成補助部２８にもたれたりすることに心地よさを感じさせることができる。
【００６８】
また、このような背面体位形成補助部２８は、例えば被写体である利用者の体位を支持しなかったとしても、デザイン的に撮影時に被写体の背景として使用できる。
【００６９】
また、背面体位形成補助部２８と背面パネル５の色を異なる色で配色し、背面体位形成補助部２８のみをクロマキー合成することによって、しゃぼん玉に乗ったりよりかかったりしているような画像が得られる。このように、背面パネル５と背面体位形成補助部２８のいずれか一方をクロマキー合成するようにすることで面白みのある画像を利用者に提供することができる。もちろん、背面体位形成補助部２８の色と背面パネル５の色とを同色で配色してもよい。
【００７０】
以上が背面体位形成補助部２８の説明である。
【００７１】
次に、編集空間２の説明を行なう。
【００７２】
図１５は編集筐体８を正面から見た斜視図である。編集筐体８の内部には、編集用コンピュータ装置１０１ｂなどの各種機器類を収める。これらの詳細は、後に図１６を用いて説明される。
【００７３】
編集筐体８の正面には、タッチパネル４１が積層される編集操作モニタ４０とタッチペン４２とで構成される入力装置と編集筐体８内部のプリンタ５５などをメンテナンスする際に開閉するメンテナンスドア４３とが備えられる。このような編集操作モニタ４０とタッチペン４２とは複数備えられてもよい。入力装置が複数備えられることによって、同一グループの複数の利用者が同時に画像編集ができる。
。
【００７４】
さらに、編集筐体８の内部の熱を逃がすためのファンや、外部装置への画像の配信リモートメンテナンスなどの、外部装置との通信を行なうときにケーブルを差込むためＬＡＮ（Local Area Network）ケーブル差込口などが備えられていることが好ましい。
【００７５】
また、編集空間３には利用者に対し音楽や操作方法の説明などを音声で出力する編集用スピーカ４６（図１６参照）が備えられる。
【００７６】
上述のように写真自動販売装置１は撮影空間２で撮影操作（プレイ）を行ない、編集空間で編集操作（プレイ）を行なうように構成されているが、撮影プレイを行なう空間と編集プレイを同じ空間で行なうように構成してもよい。また、撮影プレイを行なう空間を複数備えたり、編集プレイを行なう空間を複数備えたりしてもよい。
【００７７】
［写真自動販売装置の機能構成］
【００７８】
図１６は、かかる写真自動販売装置１の機能構成の具体例である。
【００７９】
写真販売装置１は、電源を必要とするコンピュータ装置１０１など、各種装置の電源系統を制御する電源制御部（不図示）を備え、外部からそれらの装置に対する電源の電圧を安定させるよう制御する。このような電源の投入および切断は、写真自動販売装置１に備わる電源スイッチ（不図示）を押すことで行なわれる。
【００８０】
図１６を参照して、本実施の形態にかかる写真自動販売装置１は、写真自動販売装置１の撮影側で行なわれるプレイの処理動作を実行する撮影用コンピュータ装置１０１ａと、編集側で行なわれるプレイの処理動作を実行する編集用コンピュータ装置１０１ｂ（これらをまとめてコンピュータ装置１０１という）、動作中のコンピュータ装置１０１からの指示を受付けて、接続されている各種装置を制御する制御基板１０２とを備える。撮影用コンピュータ装置１０１ａと編集用コンピュータ装置１０１ｂとは、互いに接続され、画像データや情報データなどの授受をピアツーピアで行なう。これらは写真自動販売装置１の制御手段として機能する。
【００８１】
各々のコンピュータ装置１０１は、コンピュータ装置１０１の制御を行なう演算装置であるＣＰＵ（Central Processing Unit）１０３と、装置を動作させるためのプログラムおよびプログラムで必要なグラフィックデータ、音声データ、撮影された画像や撮影画像に対して入力した編集画像その他各種画像などを記憶する記憶部１０４、プログラムの一時的な作業領域となるメモリ１０５と、プリンタ５５、カメラ１０などの周辺機器を制御するためのソフトウェアであるドライバ（不図示）とを含む。外部装置と通信を行なう通信端末を備えていてもよい。
【００８２】
撮影用コンピュータ装置１０１ａは、上記撮影プレイのプログラムの実行や、タッチパネル４１から受信した利用者の指などによってタッチされることによって行なわれる入力操作にしたがった指示信号に基づいて、制御基板１０２に対して制御信号を送信する。
【００８３】
撮影用コンピュータ装置１０１ａは、カメラ１０、撮影操作モニタ１１、制御基板１０２と接続されそれらを制御する。
【００８４】
編集用コンピュータ装置１０１ｂは、上記編集プレイのプログラムの実行や、タッチパネル４１から受信した利用者にタッチペン４２でタッチされることによって行なわれる入力操作にしたがった指示信号に基づいて、制御基板１０２に対して制御信号を送信する。
【００８５】
編集用コンピュータ装置１０１ｂは、プリンタ５５、編集操作モニタ４０、制御基板１０２と接続されそれらを制御する。
【００８６】
なお、コンピュータ装置１０１に各々接続される構成要素はこのような形態に限定されず、機能ごとに分かれていたり、位置ごとに分かれていたりしてもよい。さらに、コンピュータ装置１０１は本実施形態のような２台で構成されていなくてもよく、１台でもよいし、複数台以上で構成されていてもよい。
【００８７】
電源スイッチ（不図示）が押され、写真自動販売装置１に電源プラグより電源が投入されると、上記プログラムが起動されて、撮影用コンピュータ装置１０１ａは、接続されるカメラ１０のシャッタタイミングや、撮影操作モニタ１１での表示を制御し、編集用コンピュータ装置１０１ｂは、プリンタ５５での出力や、編集操作モニタ４０での表示を制御する。
【００８８】
プリンタ５５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においてはプリンタ５５でシールシートが印刷されるものとして説明を行なうが、印刷媒体はシールシートに限定されず、他の印刷媒体であっても同様の処理が実行される。プリンタ５５は、上述の用紙切れなどの状態を編集用コンピュータ装置１０１ｂに通知する。編集用コンピュータ装置１０１ｂは、その状態に応じて制御基板１０２に制御信号を送信する。
【００８９】
タッチパネル１２は、撮影操作モニタ１１の上に積層されている。タッチパネル１２は、
利用者の指などが触れられることによる入力を検出する。タッチ操作によってタッチパネル１２により検出されたデータ信号は、撮影用コンピュータ装置１０１ａに送信される。撮影操作モニタ１１は、撮影用コンピュータ装置１０１ａから送信されるデータが表示される。撮影用コンピュータ装置１０１ａから送信されるデータとは、カメラ１０から撮像される映像や撮影指示や選択肢などであり、これらを適宜画面に表示することによって、撮影時の映像の視覚確認や各種誘導案内などを行なう。
【００９０】
タッチパネル４１は、編集操作モニタ４０の上に積層されている。タッチパネル４１は、タッチペン４２Ｌ，Ｒからの入力を検出する。タッチペン４２Ｌ，Ｒでの入力操作によってタッチパネル４１により検出されたデータ信号は、編集用コンピュータ装置１０１ｂに送信される。編集操作モニタ４０は、編集用コンピュータ装置１０１ｂから送信されるデータが表示される。したがって、利用者が落書きなどを入力している最中は、落書きなどが施された撮影画像が、編集操作モニタ４０に表示される。すなわち、利用者は編集操作モニタ４０に表示された撮影画像に対して、タッチペン４２Ｌ，Ｒを使用して、その上に編集入力処理を行なうことができる。
【００９１】
制御基板１０２は、コンピュータ装置１０１の他に、ストロボ制御部１１０、音声制御部１１１、コイン制御部１１２、サービスパネル１１３に接続される。
【００９２】
ストロボ制御部１１０は、カメラ１０に接続され、カメラ１０におけるシャッタタイミングに応じた同期信号を取得する。そして、カメラ１０のシャッタタイミングに同期させて、ストロボ１５を発光させるように制御する。なお、ストロボ制御部１１０は制御基板１０２と接続され、発光させるストロボ１５などの閃光照明装置の選定や、ストロボ１５の発光度の設定がなされる。蛍光灯１４などの常灯照明装置も同様に制御基板１０２と接続され、その照明度合いなどの設定がなされる。
【００９３】
音声制御部１１１は制御基板１０２を介して、撮影用コンピュータ装置１０１ａおよび編集用コンピュータ装置１０１ｂと接続され、撮影用スピーカ１６は、撮影空間に配備され、撮影用コンピュータ装置１０１aからの指示に従って、制御基板１０２を介して指示信号を受信し、写真自動販売装置の撮影プレイにおける操作などの案内や、撮影時のＢＧＭなどを出力し、編集用スピーカ４６は、編集空間に配備され、編集用コンピュータ装置１０１ｂからの指示に従って、制御基板１０２を介して指示信号を受信し、写真自動販売装置の編集プレイにおける操作などの案内や、編集時のＢＧＭなどを出力する。なお、撮影用スピーカ１６や編集用スピーカ４６から出力する音声のボリュームを調整する音量調整つまみなどは、サービスパネル１１３に備えられる。
【００９４】
コイン制御部１１２は、コイン投入口３１に投入されたコインの正当性を検出し、制御基板１０２にコインが投入されたことを示す検出信号を送信する。
【００９５】
制御基板１０２は撮影用コンピュータ装置１０１ａから受信した制御信号（指示コマンドなど）にしたがって、コイン制御部１１２に対して制御信号を送信する。コイン制御部１１２は、該制御信号にしたがって、コインが投入されないようにコイン投入口３１をブロックしたり、コイン排出口３２に排出したりすることができる。このことで、たとえば、プレイ中にコイン投入を禁止することができる。
【００９６】
また、制御基板１０２は撮影用コンピュータ装置１０１ａから受信した制御信号（指示コマンドなど）にしたがって、案内表示ディスプレイ３３に制御信号を送信する。案内表示ディスプレイ３３にはコインが投入されたことを示す案内が表示される。
【００９７】
サービスパネル１１３は、投入されたコインの枚数をカウントするコインカウンタ、印刷されたプリントの枚数をカウントするプリントカウンタ、撮影用スピーカ１６及び／または編集用スピーカ４６から出力する音声のボリュームを調整する音量調整つまみ、テストモードを行なうためのテストボタン、およびコインを投入しなくても装置が利用できるようにするためのサービスボタン等を備えるパネルであって、写真自動販売装置１の設置者（操作者）が各種設定やメンテナンスの操作を行なう際に用いられる。サービスパネル１１３は、サービスボタンの操作などの制御操作が行なわれると、その操作にしたがった制御信号を制御基板１０２に対して送信する。
【００９８】
制御基板１０２は、撮影用コンピュータ装置１０１ａや編集用コンピュータ装置１０１ｂから受信した制御信号（指示コマンドなど）にしたがって、サービスパネル１１３に対して制御信号送信する。サービスパネル１１３は、該制御信号に従って、コインカウンタやプリントカウンタを動作させる（たとえばカウンタを１インクリメントする）。
【００９９】
さらに、制御基板１０２は、編集用コンピュータ装置１０１ｂから、プリンタ５５の状態に応じた制御信号を受信し、該制御信号にしたがって、印刷中ＬＥＤ５２、および印刷エラーＬＥＤ５３を制御する。かかる制御信号によって、印刷中ＬＥＤ５２、および印刷エラーＬＥＤ５３が点灯または点滅する。
【０１００】
なお、言うまでもなく、写真自動販売装置１の形態は図１〜図１６に示される具体例に限定されるものではない。すなわち、図１〜図１６に記載されない他の機能が備えられていてもよいし、図１〜図１６に記載されている機能の必ずしもすべてが備えられていなくても構わない。
【０１０１】
［写真自動販売装置の処理］
【０１０２】
図１７及び図１８は、本実施の形態における写真自動販売装置１の処理を示すフローチャートである。
【０１０３】
まず、写真自動販売装置１の撮影側の処理について図１７のフローチャートを用いて説明する。
【０１０４】
図１７のフローチャートに示される処理は、撮影用コンピュータ装置１０１ａのＣＰＵ１０３ａが、記憶部１０４ａに格納された動作プログラムをメモリ１０５ａに読出して実行することによって実現される。
【０１０５】
図を参照して、まず写真自動販売装置１に備わる電源スイッチが操作されると、各種装置の電源が投入される。すると、撮影用コンピュータ装置１０１ａのＣＰＵ１０３ａに格納された動作プログラムが起動する。撮影用コンピュータ装置１０１ａは、各種装置が正常に接続されているかチェックし、初期化が必要な装置に対しては初期化を行なう（Ｓ１）。その後、ＣＰＵ１０３ａは写真自動販売装置１の利用を促すタイトルデモを撮影操作モニタ１２に表示し、同時に音声出力制御部１１１は、撮影操作モニタ１２の表示に対応して撮影用スピーカ１６から音声案内を出力する（Ｓ２）。
【０１０６】
撮影操作モニタ１２にタイトルデモが表示されている状態のとき、サービスパネル１１３のテストボタンをタッチすることによって（Ｓ３）、写真自動販売装置１のメンテナンスを行なうためのテストモード（Ｓ４）を起動することができる。
【０１０７】
また、ＣＰＵ１０３ａはコイン制御部１１２において、写真自動販売装置１を利用するためのコインのがコイン投入口１５に投入されたか否かを監視する（Ｓ５）。そして、タイトルデモ表示中にコインの投入を受け付け、所定数の対価が投入された場合（Ｓ５でＹＥＳ）、撮影処理を開始する（Ｓ６）。複数の撮影コースで構成されている場合は、撮影前に利用者から撮影コースの選択を受付ける。
【０１０８】
まず、写真自動販売装置１における処理（プレイ）は、撮影プレイから始まる。はじめに、カメラ１０が取得する画像を、撮影操作モニタ１０にリアルタイム表示する。利用者は、撮影操作モニタ１０に表示される画像を見ながら、体位形成補助部２０や背面体位形成補助部２８を利用して、好みの表情やポーズをとることができる。
【０１０９】
利用者は所定の撮影案内に従い順次撮影していき、所定回数撮影したか否かを判定する（Ｓ７）。所定回数撮影していない場合（Ｓ７でＮＯ）、ステップＳ６に戻り撮影を繰り返し行なう。所定回数撮影した場合（Ｓ７でＹＥＳ）、ステップＳ８に移る。なお、撮影処理は、所定の時間が経過したら撮影プレイを終了するという形態でもよい。
【０１１０】
さらに、所定回数の撮影終了後に、所定の時間が経過していない場合、または、編集空間３で他の利用者が操作している場合に、これらの条件がクリアされるまで、撮影を繰返し行なってもよい。
【０１１１】
所定回数の撮影が終了すると（Ｓ７でＹＥＳ）、撮影した画像を撮影操作モニタ１０に全て表示し、編集する画像（編集対象画像）の選択を受付ける（Ｓ８）。ＣＰＵ１０３ａは、編集対象画像の選択を受付けたら、編集対象画像などの必要なデータを編集に使用できるように編集用コンピュータ装置１０１ｂに転送し（Ｓ９）、編集空間で編集をするよう促す案内を表示し、タイトルデモ画面を再び表示する。
【０１１２】
編集用コンピュータ装置１０１ｂへの撮影画像などの必要なデータの転送は、上述のようにまとめて転送する形態でなく、撮影中に１枚ずつ転送する形態にしてもよい。上述のように全ての撮影終了後にまとめて必要なデータを転送する場合、転送に時間がかかって利用者が編集を開始できる状態になるまでに待ち時間が発生してしまうという問題がある。このため、一度にまとめて転送する形態でなく、撮影毎に必要なデータを転送することによって、全ての撮影終了後の転送に時間がかかってしまうというようなことがなくなり、利用者は、待たされることなく編集処理に円滑に移行することができる。
【０１１３】
次に、写真自動販売装置１の編集側の処理について図１８のフローチャートを用いて説明する。
【０１１４】
図１８のフローチャートに示される処理は、編集用コンピュータ装置１０１ｂのＣＰＵ１０３ｂが、記憶部１０４ｂに格納された動作プログラムをメモリ１０５ｂに読出して実行することによって実現される。
【０１１５】
図を参照して、まず写真自動販売装置１に備わる電源スイッチが操作されると、各種装置の電源が投入される。すると、編集用コンピュータ装置１０１ｂのＣＰＵ１０３ｂに格納された動作プログラムが起動する。編集用コンピュータ装置１０１ｂは、各種装置が正常に接続されているかチェックし、初期化が必要な装置に対しては初期化を行なう（Ｓ５１）。その後、ＣＰＵ１０３ｂはまず撮影操作側からプレイをはじめるよう促す待機画面を編集操作モニタ４０に表示し、同時に音声出力制御部１１１は、編集操作モニタ４０の表示に対応して編集用スピーカ４６から音声案内を出力する（Ｓ５２）。
【０１１６】
図１７の撮影プレイ処理が終了すると、撮影用コンピュータ装置１０１ａから編集用コンピュータ装置１０１ｂへ編集対象画像などの必要なデータが転送される（図１７のステップＳ９）。ＣＰＵ１０３ｂは、撮影用コンピュータ装置１０１ａからデータ転送が開始されたか否かを監視する（Ｓ５３）。
【０１１７】
撮影用コンピュータ装置１０１ａから、データ転送が開始されていない場合（Ｓ５３でＮＯ）、編集操作モニタ４０に引き続き待機画面を表示して、データ転送が開始されたか否かを監視する。データ転送が開始された場合（Ｓ５３でＹＥＳ）、データ転送中画面を表示する（Ｓ５４）。
【０１１８】
ついで、ＣＰＵ１０３ｂは、データ転送が完了した否かを監視する（Ｓ５５）。
【０１１９】
撮影用コンピュータ装置１０１ａからのデータ転送が完了していない場合（Ｓ５５でＮＯ）、引き続きデータ転送が完了したか否かを監視する。データ転送が完了した場合（Ｓ５５でＹＥＳ）、編集入力処理（お絵描き）へ移行する。
【０１２０】
ついで、ＣＰＵ１０３ｂは、タッチペン４２Ｌ，Ｒによる編集対象画像に対するスタンプやペンなどの編集用画像の入力を受け付ける編集入力処理（お絵描き）を行なう（Ｓ５６）。
【０１２１】
図１９は編集入力処理を行なうための編集画面を示す図である。利用者は、編集制限時間内は図示するような編集画面において編集プレイを行なうことができる。編集画面は複数の画面で構成され、複数の利用者が専用のタッチペン４２Ｌ，４２Ｒで同時に編集することができるようになっている。もちろん、編集画面は単数で構成されていてもよい。編集制限時間は利用者にわかりやすいように、編集操作モニタ４０の編集画面上に残り時間を表示し、カウントダウンを行なう。
【０１２２】
利用者が編集処理を行なっている間、ＣＰＵ１０３ｂは、編集処理が終了したかどうかを監視する（Ｓ５７）。編集処理は、残り時間が“０”になり編集制限時間に達したか、または、画面に表示された「おしまい」ボタンがタッチされることで強制的に終了させることによって終了する。
【０１２３】
「おしまい」ボタンが押されておらず、編集制限時間に達していない場合、すなわち編集が終了していない場合は（Ｓ５７でＮＯ）、編集入力処理を継続して行ない、「おしまい」ボタンが押されるか、編集制限時間に達した場合、すなわち編集が終了した場合は（Ｓ５７でＹＥＳ）、シールシートに印刷するための印刷画像を作成する処理を行なう
【０１２４】
ステップＳ５４で、編集処理が終了したら、ＣＰＵ１０３ｂは、シールシートに印刷するときのレイアウトを選択させるための印刷レイアウト選択画面を編集操作モニタ４０に表示する（Ｓ５８）。
【０１２５】
利用者が印刷レイアウトを選択したら、ＣＰＵ１０３ｂは、利用者をプリンタ取出口５１の前に誘導する音声（例えば、「シールは左から出るよ！」）を編集用スピーカ４６から出力し、利用者をプリント取出口５１の前に誘導する印刷案内画面を編集操作モニタ１１に表示するよう制御する（Ｓ５９）。このようにすることにより、編集プレイが終了した利用者をプリント取出口５１へ誘導する。そして再びステップＳ５２へ戻り、編集操作モニタ４０には再び待機画面を表示する
【０１２６】
そして、ステップＳ５８で選択された印刷レイアウトを適用して編集対象画像と編集入力画像との合成画像を配置して、印刷データを作成する（Ｓ６０）。
【０１２７】
そして、ステップＳ６０で生成された印刷データをプリンタ５５に送信して印刷処理を開始する（Ｓ６１）。そしてシールシートは印刷されるとプリント取出口５１に排出される。
【０１２８】
以上が、写真自動販売装置１の処理の説明である。
【０１２９】
さらに、上述の写真自動販売装置１のコンピュータ装置１０１の制御方法を、プログラムとして提供することもできる。このようなプログラムは、コンピュータに付属するフレキシブルディスク、ＣＤ−ＲＯＭ（Compact Disc-Read Only Memory）、ＲＯＭ（Read Only Memory）、ＲＡＭ（Random
Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０１３０】
提供されるプログラム製品は、ハードディスクなどのプログラム格納部にインストールされて実行される。なお、プログラム製品は、プログラム自体と、プログラムが記録された記録媒体とを含む。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３２】
【図１】本発明の実施の形態における写真撮影装置を適用した写真自動販売装置１の外観の具体例を示す断面図である。
【図２】本発明の実施の形態における写真撮影装置を適用した写真自動販売装置１の外観の具体例を示す側面図である。
【図３】撮影筐体４を正面から見た斜視図である。
【図４】体位形成補助部２０の側面図である。
【図５】体位形成補助部２０を正面から見た斜視図である。
【図６】体位形成補助部２０を利用して行なうことができるポーズの具体例である。
【図７】体位形成補助部２０の他の具体例である。
【図８】体位形成補助部２０の他の具体例である。
【図９】一部を分離可能な構成とした体位形成補助部２０の具体例である。
【図１０】一部を分離可能な構成とした体位形成補助部２０の他の具体例である。
【図１１】一部を分離可能な構成とした体位形成補助部２０の他の具体例である。
【図１２】補助支持部２６を含む体位形成補助部２０の具体例である。
【図１３】背面パネル５に配備された背面体位形成補助部２８の具体例である。
【図１４】背面体位形成補助部２０を利用して行なうことができるポーズの具体例である。
【図１５】編集筐体８を正面から見た斜視図である。
【図１６】写真自動販売装置１の機能構成図である。
【図１７】本実施の形態における写真自動販売装置１の撮影プレイでの処理を示すフローチャートである。
【図１８】本実施の形態における写真自動販売装置１の編集プレイでの処理を示すフローチャートである。
【図１９】編集画面の具体例を示す図である。
【符号の説明】
【０１３３】
１  写真自動販売装置
２  撮影空間
３  編集空間
４  撮影筐体
５  背面パネル
６  背景カーテンユニット
７  背景カーテン
８  編集筐体
９  サイドカーテン
１０  カメラ
１１  撮影操作モニタ
１２  タッチパネル
１３ａ，１３ｂ  前面照明装置
１３ｃ，１３ｄ  サイド照明装置
１３ｅ  天井照明装置
１４  蛍光灯
１５  ストロボ
１６  撮影用スピーカ
２０  体位形成補助部
２１ａ，２１ｂ，２１ｃ  面
２２  アーム部
２３  膝置き部
２４  固定部
２５  分離部
２６  補助支持部
２８  背面体位形成補助部
３０  コイン受付部
３１  コイン投入口
３２  コイン排出口
３３  案内表示ディスプレイ
３４  コインボックス
４０  編集操作モニタ
４１  タッチパネル
４２Ｌ，４２Ｒ  タッチペン
４３  メンテナンスドア
４６  編集用スピーカ
５０  プリント提供部
５１  プリント取出口
５２  印刷中ＬＥＤ
５３  印刷エラーＬＥＤ
５５  プリンタ
１０１ａ  撮影用コンピュータ装置
１０１ｂ  編集用コンピュータ装置
１０２  制御基板
１０３ａ，１０３ｂ  ＣＰＵ
１０４ａ，１０４ｂ  記憶部
１０５ａ，１０５ｂ  メモリ
１１０  ストロボ制御部
１１１  音声制御部
１１２  コイン制御部
１１３  サービスパネル
【図１】
2006195148.tif 000003
【図２】
2006195148.tif 000004
【図３】
2006195148.tif 000005
【図４】
2006195148.tif 000006
【図５】
2006195148.tif 000007
【図６】
2006195148.tif 000008
【図７】
2006195148.tif 000009
【図８】
2006195148.tif 000010
【図９】
2006195148.tif 000011
【図１０】
2006195148.tif 000012
【図１１】
2006195148.tif 000013
【図１２】
2006195148.tif 000014
【図１３】
2006195148.tif 000015
【図１４】
2006195148.tif 000016
【図１５】
2006195148.tif 000017
【図１６】
2006195148.tif 000018
【図１７】
2006195148.tif 000019
【図１８】
2006195148.tif 000020
【図１９】
2006195148.tif 000021